(57)【要約】      （修正有）【課題】操作が容易で、利便性に優れた調髪用に適した染色用具構造を提供する。【解決手段】出液部と調節部及び収納部からなり、出液部は、第一蓋体があり、第一蓋体から、複数の刷毛が突出し、各刷毛に、出液孔が貫設され、出液孔が、第一蓋体の底部内まで連通される。第一蓋体の底部の中央に、嵌合孔が設けられ、嵌合孔の周囲に、複数の突出部が突出し、第一蓋体の底部の周囲に、若干の位置制限ブロックが設けられる。調節部は、出液部と収納部との間に結合され、貫通孔を有する第二蓋体があり、第二蓋体の中央に、凸柱が突出し、凸柱の周囲に、若干の凹部が設けられ、第一蓋体と第二蓋体との間に、所定の相対位置が形成されることにより、各貫通孔と出液孔とが対応して貫通チャンネルが形成され、凸柱は、嵌合孔に嵌合されて係止することができ、また、各凹部に、突出部が嵌合されて定位することができる。【選択図】図３
0003167123.tif 000002
【実用新案登録請求の範囲】
【請求項１】
出液部と、
該出液部の下部に結合される調節部と、該調節部の下部に結合される収納部とからなる染色用具であって、
前記出液部が、調節部上に結合され、第一蓋体、刷毛、嵌合孔及び突出部からなり、第一蓋体が、調節部の蓋部材に結合され、第一蓋体上に、複数の刷毛が突出し、各刷毛上に、出液孔が形成され、該出液孔が、刷毛を通して第一蓋体の底部内まで連通し、第一蓋体の底部内に、嵌合孔が形成され、嵌合孔の周囲において、複数の突出部が突出し、また、突出部と第一蓋体底部内に連通される出液孔との間にインタレースが設置され、また、突出部と出液孔とが、第一蓋体の底部内において、それぞれ、調節部の貫通孔と凹部に対応し、
前記調節部が、出液部と収納部との間に結合され、第二蓋体と貫通チャンネル、凸柱および凹部からなり、第二蓋体上に、複数の貫通チャンネルが貫設され、第二蓋体上において、凸柱が突出し、凸柱の周囲に、若干の凹部が設けられ、第一蓋体と第二蓋体との間において、所定の相対位置が形成され、各貫通孔が第一蓋体上の出液孔に対応することにより、貫通チャンネルが形成され、凸柱が、第一蓋体上の嵌合孔に嵌合されて係止され、各凹部が、第一蓋体上の突出部に嵌合されて定位し、第二蓋体の下方内縁において、上部結合端が設けられ、当該上部結合端が、収納部の下部結合端に結合され、
前記収納部が、容器本体であり、缶体と下部結合端および収納室からなり、缶体の上方に、下部結合端が設けられ、当該下部結合端と調節部の上部結合端とが、互いに結合され、缶体内において、染色用薬液又は薬剤を収納する所定の容量の収納室が形成され、収納室は、第二蓋体が缶体に結合される際に、貫通孔と連通する
ことを特徴とする染色用具。
【請求項２】
出液部において、第一蓋体の底部内の周囲に、リング状に、若干の位置制限ブロックが設けられ、第二蓋体の外周囲に、若干の位置制限溝が設けられ、位置制限ブロックが、位置制限溝内に嵌合されることを特徴とする請求項１に記載の染色用具。
【請求項３】
出液部の第一蓋体において、外縁に、把持用の凹縁が形成されることを特徴とする請求項１に記載の染色用具。
【請求項４】
出液部において、刷毛が、錐体形に設計され、放射状に第一蓋体に配列されることを特徴とする請求項１に記載の染色用具。
【請求項５】
出液部において、嵌合孔が、第一蓋体の底部の中央に設置されることを特徴とする請求項１に記載の染色用具。
【請求項６】
出液部において、突出部が、嵌合孔に応じて、中央から外側へ向かって放射状に配列されることを特徴とする請求項１に記載の染色用具。
【請求項７】
調節部において、第二蓋体の外縁に、把持容易に連続凹凸状の滑り止め面が形成されることを特徴とする請求項１に記載の染色用具。
【請求項８】
調節部において、凸柱が、第二蓋体の上方の中央に設置されることを特徴とする請求項１に記載の染色用具。
【請求項９】
調節部において、凹部が、凸柱に応じて中央から外側へ向かって放射状に配列されることを特徴とする請求項１に記載の染色用具。
【請求項１０】
調節部の上部結合端と収納部の下部結合端とが、スレッドによって結合されることを特徴とする請求項１に記載の染色用具。
【考案の詳細な説明】
【技術分野】
【０００１】
本考案は、染色用具、特にその構造に関するものであり、さらに詳しくは、ヘアスタイルを整えるための調髪用の染色に便利な染色薬剤の収納容器の構造に関するものである。
【背景技術】
【０００２】
従来の毛染め用具は、内部に収納空間が形成される容器と、当該収納空間と当該容器の外部と連通する開口と、基座を有するものであり、底端で当該容器に連接して、当該開口を封止する櫛と、それぞれ、当該基座に貫設され、底端にある孔部が、開口に連通される若干の出液孔と、少なくとも一つの所定の高さを有する櫛の歯からなり、各櫛の歯の底端が、各出液孔の一側に対応するように、当該基座の上端に設置されたものである。そして、各当該櫛の歯上端の端末と各当該出液孔の上端孔との間において、高低差を形成するため、当該櫛の歯の上端を、各当該出液孔の上端口より、高くなるように調整する櫛部とを含有するものである。
【０００３】
上記の毛染め用具は、当該出液孔が、それぞれ、当該基座に貫設され、また、底端に備えた孔部が、開口と連通しているので、使用する時、一回で、容器内の毛染め薬剤を使用してしまわない場合、当該開口を封止することができないため、容器が傾くと、薬剤の外部への流出が発生し、環境を汚染するだけでなく、薬剤を無駄にするという問題がある。
【０００４】
かかる状況下において、特表２００５−５１６６５３号公報には、所定容積の容器内に収容された染色液が永久磁石の引力及び斥力とバイブレーターの振動により櫛歯に形成された排出孔を通して自然に排出されるように構成されたヘア染色用具が記載されている。かかる提案によれば、染色液が使用者の皮膚に飛散することを防止し、適当量の染色液を供給できることが開示されているが、なお、構造上、複雑であり、さらに簡便な操作で毛髪の染色が容易な染色用具が切望されてきた。
【特許文献１】特表２００５−５１６６５３号公報
【考案の開示】
【考案が解決しようとする課題】
【０００５】
従って、本考案の主な課題は、染色過程特に、毛髪の染色において、更に環境保護の効果、そして、染色薬剤の無駄を防止できる効果が得られ、より実用的な染色用具構造を提供することにある。
【０００６】
そこで、本考案者は、前記課題を解決するため鋭意検討を重ねた結果、出液部と調節部と収納部とからなる染色用具であって、染色液の流出及び停止を、出液部と調節部の結合部の回転により出液孔の開閉を行うことができる構造に着目し、かかる知見に基いて、本考案に想到した。
【課題を解決するための手段】
【０００７】
かくして、請求項１に係る考案によれば、
出液部と、
該出液部の下部に結合される調節部と、該調節部の下部に結合される収納部とからなる染色用具であって、
前記出液部が、調節部上に結合され、第一蓋体、刷毛、嵌合孔及び突出部からなり、第一蓋体が、調節部の蓋部材に結合され、第一蓋体上に、複数の刷毛が突出し、各刷毛上に、出液孔が形成され、該出液孔が、刷毛を通して第一蓋体の底部内まで連通し、第一蓋体の底部内に、嵌合孔が形成され、嵌合孔の周囲において、複数の突出部が突出し、また、突出部と第一蓋体底部内に連通される出液孔との間にインタレースが設置され、また、突出部と出液孔とが、第一蓋体の底部内において、それぞれ、調節部の貫通孔と凹部に対応し、
前記調節部が、出液部と収納部との間に結合され、第二蓋体と貫通チャンネル、凸柱および凹部からなり、第二蓋体上に、複数の貫通チャンネルが貫設され、第二蓋体上において、凸柱が突出し、凸柱の周囲に、若干の凹部が設けられ、第一蓋体と第二蓋体との間において、所定の相対位置が形成され、各貫通孔が第一蓋体上の出液孔に対応することにより、貫通チャンネルが形成され、凸柱が、第一蓋体上の嵌合孔に嵌合されて係止され、各凹部が、第一蓋体上の突出部に嵌合されて定位し、第二蓋体の下方内縁において、上部結合端が設けられ、当該上部結合端が、収納部の下部結合端に結合され、
前記収納部が、容器本体であり、缶体と下部結合端および収納室からなり、缶体の上方に、下部結合端が設けられ、当該下部結合端と調節部の上部結合端とが、互いに結合され、缶体内において、染色用薬液又は薬剤を収納する所定の容量の収納室が形成され、収納室は、第二蓋体が缶体に結合される際に、貫通孔と連通する
ことを特徴とする染色用具が提供される。
【０００８】
請求項２の考案によれば、出液部において、第一蓋体の底部内の周囲に、リング状に、若干の位置制限ブロックが設けられ、第二蓋体の外周囲に、若干の位置制限溝が設けられ、位置制限ブロックが、位置制限溝内に嵌合されることを特徴とする請求項１に記載の染色用具が提供される。
【０００９】
請求項３の考案によれば、出液部の第一蓋体において、外縁に、把持用の凹縁が形成されることを特徴とする請求項１に記載の染色用具が提供される。
【００１０】
請求項４の考案によれば、出液部において、刷毛が、錐体形に設計され、放射状に第一蓋体に配列されることを特徴とする請求項１に記載の染色用具が提供される。
【００１１】
請求項５の考案によれば、出液部において、嵌合孔が、第一蓋体の底部の中央に設置されることを特徴とする請求項１に記載の染色用具が提供される。
【００１２】
請求項６の考案によれば、出液部において、突出部が、嵌合孔に応じて、中央から外側へ向かって放射状に配列されることを特徴とする請求項１に記載の染色用具が提供される。
【００１３】
請求項７の考案によれば、調節部において、第二蓋体の外縁に、把持容易に連続凹凸状の滑り止め面が形成されることを特徴とする請求項１に記載の染色用具が提供される。
【００１４】
請求項８の考案によれば、調節部において、凸柱が、第二蓋体の上方の中央に設置されることを特徴とする請求項１に記載の染色用具が提供される。
【００１５】
請求項９の考案によれば、調節部において、凹部が、凸柱に応じて中央から外側へ向かって放射状に配列されることを特徴とする請求項１に記載の染色用具が提供される。
【００１６】
請求項１０の考案によれば、調節部の上部結合端と収納部の下部結合端とが、スレッドによって結合されることを特徴とする請求項１に記載の染色用具提供される。
【考案を実施するための最良の形態】
【００１７】
以下、図面を参照しながら、本考案の特徴や技術内容について、詳しく説明するが、それらの図面等は、参考や説明のためであり、本考案は、それらによって限定されるものではない。
【００１８】
図１及び図２に示すように、本考案に係る染色用具の出液部１は、調節部２上に結合され、第一蓋体１１と刷毛１２、嵌合孔１３、突出部１４および位置制限ブロック１５からなる。第一蓋体１１は、調節部２上の蓋部材に結合され、第一蓋体１１の外縁に、手で持ちやすいように凹縁１１１が形成される。第一蓋体１１上に、錐状に設計された若干の刷毛１２が突出し、中央から外側へ放射状に配列され、各刷毛１２上に、出液孔１２１が形成される。上記の出液孔１２１が、刷毛１２の内部を通して第一蓋体１１の底部内まで連通し、当該出液孔１２１は、第一蓋体１１の底部内において、調節部２の貫通孔２２に対応して貫通チャンネルを形成する。また、第一蓋体１１の底部内において、中央に、嵌合孔１３が形成され、嵌合孔１３に、調節部２の凸柱２３が嵌入され、嵌合孔１３の周囲において、若干の突出部１４が突出し、突出部１４が、調節部２の凹部２４内に嵌合される。また、突出部１４が、嵌合孔１３に応じて、中央から外側へ放射状に配列され、そして、突出部１４と第一蓋体１１の底部内に連通する出液孔１２１との間に、インタレースが設置される。第一蓋体１１の底部内において、周囲に、リング状に若干の位置制限ブロック１５が設けられ、当該位置制限ブロック１５が、調節部２の位置制限溝２５内に嵌設される。
【００１９】
図１に示すように、出液部１と収納部３との間に結合される調節部２は、図２に示すように、第二蓋体２１と貫通孔２２、凸柱２３、凹部２４及び位置制限溝２５からなり、第二蓋体２１の外縁において、手で持ちやすいため、連続凹凸状の滑り止め面２１１が形成され、第二蓋体２１に、若干の貫通孔２２が貫設され、第二蓋体２１の中央に、凸柱２３が突出し、凸柱２３の周囲に、放射状に若干の凹部２４が配列される。第一蓋体１１と第二蓋体２１との間に、所定の相対位置が形成され、各貫通孔２２と第一蓋体１１上の出液孔１２１とが対応して、貫通チャンネルが形成される。凸柱２３は、第一蓋体１１上の嵌合孔１３と嵌合されて係止され、各凹部２４は、第一蓋体１１上の突出部１４に嵌合されて係止される。即ち、第二蓋体２１の外周囲において、若干の位置制限溝２５が設けられ、図３に示すように、当該位置制限溝２５に、第一蓋体１１の位置制限ブロック１５が嵌入される。第二蓋体２１の下方の内縁に、上部結合端２６が設けられ、当該上部結合端２６が、収納部３の下部結合端３２に結合される。
【００２０】
収納部３は、染色用薬液、薬剤等の液体ヘアスタイル用品を収納する容器本体であり、缶体３１と下部結合端３２及び収納室３３からなる。缶体３１の上方に、下部結合端３２が設けられ、当該下部結合端３２と調節部２の上部結合端２６とが、スレッドによって、互いに結合される。缶体３１内において、染色用薬液や薬剤を収納する所定の容量の収納室３３が形成され、収納室３３が、第二蓋体２１が缶体３１に結合される時、貫通孔２２と連通する。
【００２１】
本考案に係る染色用具によれば、図４に示すように、当該出液部１と調節部２と収納部３が結合された後、第一蓋体１１が、第二蓋体２１に嵌合された時、凸柱２３を回転軸として、第一蓋体１１と第二蓋体２１との角度を調整でき、両者が、所定の角度を形成した時、図５に示すように、第一蓋体１１の出液孔１２１が、第二蓋体２１の貫通孔２２に対応して貫通チャンネルが形成される。また、貫通孔２２が、収納部３の収納室３３に連通するため、図６に示すように、収納室３３内に収納されている染色用薬液や薬剤等液体が、貫通孔２２から出液孔１２１へ流れ、それから、刷毛１２により、人体の髪の毛に塗布される。これにより、染色用薬液や薬剤を塗布することが実現された。
【００２２】
図４のように、本考案によれば、第一蓋体１１が、第二蓋体２１に嵌合された場合、第一蓋体１１と第二蓋体２１との角度を調整することにより、第一蓋体１１の出液孔１２１が、第二蓋体２１の貫通孔２２に対応して、貫通チャンネルを形成することができる。また、図７のように、出液孔１２１と同一平面にある突出部１４が、貫通孔２２と同一平面にある凹部２４とが、互いに嵌合することにより、缶体３１は、使用過程において、出液孔１２１と貫通孔２２とにより貫通チャンネルが形成されて定位し、固定される。
【００２３】
図５のように、本考案に係る染色用具によれば、第一蓋体１１が、第二蓋体２１に嵌合された場合、第一蓋体１１と第二蓋体２１との角度を調整することにより、図８のように、第一蓋体１１内の位置制限ブロック１５が、第二蓋体２１の位置制限溝２５に位置するため、上記の位置制限溝２５により、当該第一蓋体１１の回転角度範囲が制限される。例えば、位置制限ブロック１５が、位置制限溝２５の両端に位置することにより、それぞれ、出液孔１２１と貫通孔２２とが連通するオプン状態となり、図９のように、出液孔１２１と貫通孔２２とがずれるクローズ状態となる。これにより、缶体３１を回転することにより、迅速にオプンとクローズとを定位することができ、そして、使用上、便利であるだけでなく、出液孔１２１と貫通孔２２とがずれているクロース状態であれば、図１０のように、突出部１４が、貫通孔２２に対応するため、クロース状態に定位することができる。
【００２４】
本考案に係る染色用具によれば、第一蓋体１１と第二蓋体２１とに、それぞれ、突出部１４や位置制限ブロック１５、貫通孔２２、凹部２４及び位置制限溝２５等の構造を備えているため、第一蓋体１１と第二蓋体２１とが結合されると、突出部１４は、染色用具がオプンやクロース状態において、それぞれ、凹部２４と貫通孔２２に嵌入されて定位することができ、また、当該位置制限ブロック１５により、位置制限溝２５において、第一蓋体１１の回転角度範囲が制限され、そのため、当該染色用具は、使用上、迅速に開閉されて定位することができるので、より利便性に優れたものである。
【００２５】
以上は、本考案のより良い実施形態を説明したものであり、本考案は、それによって限定されるものではなく、本考案に係わる考案登録請求の範囲や明細書の内容に基づいて行った等価の変更や修正は、全てが、本考案の範囲内に含まれる。
【図面の簡単な説明】
【００２６】
【図１】本考案に係る一実施形態による染色用具全体の斜視図である。
【図２】本考案に係る一実施形態による染色用具の出液部と調節部の組立て概念図である。
【図３】本考案に係る一実施形態による染色用具の分解斜視図である。
【図４】本考案に係る一実施形態による染色用具の平面図である。
【図５】本考案に係る一実施形態による染色用具の出液孔のオプン状態を示す局部断面図（図４のＡ−Ａ断面図）である。
【図６】本考案に係る一実施形態による染色用具のオプン状態の操作を示す局部断面概念図である。
【図７】本考案に係る一実施形態による染色用具の突出部が凹部に嵌合する状態を示す局部断面図（図４のＢ−Ｂ断面図）である。
【図８】本考案に係る一実施形態による染色用具の位置制限ブロックが位置制限溝に位置する状態を示す断面図（図５のＣ−Ｃ断面図）である。
【図９】本考案に係る一実施形態による染色用具の位置制限ブロックが位置制限溝に位置する状態を示す断面作動概念図である。
【図１０】本考案に係る一実施形態による染色用具の突出部が、貫通孔に嵌合する局部断面概念図（図９のＤ−Ｄ断面図）である。
【符号の説明】
【００２７】
１  出液部
１１  第一蓋体
１１１  凹縁
１２  刷毛
１２１  出液孔
１３  嵌合孔
１４  突出部
１５  位置制限ブロック
２  調節部
２１  第二蓋体
２１１  滑り止め面
２２  貫通孔
２３  凸柱
２４  凹部
２５  位置制限溝
２６  上部結合端
３  収納部
３１  缶体
３２  下部結合端
３３  収納室
【図１】
0003167123.tif 000003
【図２】
0003167123.tif 000004
【図３】
0003167123.tif 000005
【図４】
0003167123.tif 000006
【図５】
0003167123.tif 000007
【図６】
0003167123.tif 000008
【図７】
0003167123.tif 000009
【図８】
0003167123.tif 000010
【図９】
0003167123.tif 000011
【図１０】
0003167123.tif 000012